(57)【要約】      （修正有）【課題】こぼれた飲食物が左方、右方に飛び出すのを防ぐ食事用エプロンを提供する。【解決手段】背の高い後側シートと低い前側シートを重ねて下端、左端と右端を連結した構造にした。後側シートは、上部を首掛部１１に、中央部を前身頃部１２に、下部をポケット部の後片１３にした。前側シートは、下部をポケット部の前片１４に、上部を卓上部１５にした。後側シート下部の左側部と前側シート下部の左側部をポケット部の左片１６に、後側シート下部の右側部と前側シート下部の右側部をポケット部の右片にした。ポケット部は、卓上部の前側への持ち出しで開口する。後側シート中央部の左側部と前側シート上部の左側部を左側の側壁部１８に、後側シート中央部の右側部と前側シート上部の右側部を右側の側壁部にした。ポケット部の開口で、左側の側壁部と右側の側壁部は、前側に曲がり突出し、左右の側壁部と前身頃部の横断面形状が溝形状になる。【選択図】図３
0003188657.tif 000002
【実用新案登録請求の範囲】
【請求項１】
着用者の首に留める首掛部、着用者の胸の前側に垂らす前身頃部、こぼれた飲食物が入るポケット部と、食卓上に留める卓上部を設けている食事用エプロンにおいて、
背の高い後側シートと背の低い前側シートを重ねて下端、左端と右端を連結した構造にし、
後側シートは、上部を首掛部に、中央部を前身頃部に、下部をポケット部の後片にし、
前側シートは、下部をポケット部の前片に、上部を卓上部にし、
後側シートの下部の左側部と前側シートの下部の左側部をポケット部の左片に、後側シートの下部の右側部と前側シートの下部の右側部をポケット部の右片にし、
ポケット部は、左片、右片、後片と前片で、上側が開口する袋形状にし、卓上部が前側に持ち出されて前身頃部側から離れると、前片が後片側から前側に離れ、左片と右片が二つ折り状態から広がって開口する構成にし、
後側シートの中央部の左側部と前側シートの上部の左側部を左側の側壁部に、後側シートの中央部の右側部と前側シートの上部の右側部を右側の側壁部にし、
ポケット部が開口して左片と右片が広がると、左側の側壁部と右側の側壁部は、二つ折り状態から広がり、前側に曲がって突出し、左右の側壁部と前身頃部の横断面形状が溝形状になる構成にしていることを特徴とする食事用エプロン。
【請求項２】
首掛部は、２本の紐部又は１本の半円弧状や門形状の紐部にし、紐部の下端を左側と右側に配置し、
左側の紐部下端と卓上部の左端を結ぶ線の左側を左側の側壁部に、右側の紐部下端と卓上部の右端を結ぶ線の右側を右側の側壁部にしていることを特徴とする請求項１に記載の食事用エプロン。
【請求項３】
左右の紐部下端は、それぞれ、左右方向位置を卓上部の左端と右端のほぼ真上にしていることを特徴とする請求項２に記載の食事用エプロン。
【請求項４】
卓上部は、左端と右端を、それぞれ、左側の側壁部と右側の側壁部から分離し、前側に持ち出すと、下端を軸として前側に折れ曲がって前側に突出する構成にしていることを特徴とする請求項１、２又は３に記載の食事用エプロン。
【請求項５】
背の高い後側シートと背の低い前側シートは、扁平な筒形状のシートの後側シートと前側シートにし、下端を連結して連結部で筒形状の下端を閉鎖していることを特徴とする請求項１〜４のいずれかに記載の食事用エプロン。
【請求項６】
後側シートと前側シートは、不透水性にし、合成樹脂、不織布又は紙にしていることを特徴とする請求項１〜５のいずれかに記載の食事用エプロン。
【請求項７】
後側シートと前側シートは、透明にしていることを特徴とする請求項１〜６のいずれかに記載の食事用エプロン。
【考案の詳細な説明】
【技術分野】
【０００１】
本考案は、食べこぼしや飲みこぼしを受ける食事用エプロンに関する。
【背景技術】
【０００２】
食事の介助を受ける者は、食事用のエプロンを着用する。食べこぼしや飲みこぼしをエプロンで受け止める。こぼれた飲食物で衣服、食卓や床が汚れることを防ぐ。
【０００３】
この種の食事用エプロンは、洗濯の手間を省くため、使い捨てが望まれる。使い捨ての食事用エプロンは、安価にするため、合成樹脂シートをエプロンの形状に切断して製作する。合成樹脂シート製の食事用エプロンは、首掛部、前身頃部とポケット部などを設けている。着用時、首掛部は、着用者の首に掛けて留める。前身頃部は、着用者の胸の前側に垂らす。ポケット部は、着用者の腹と食卓の間に配置する。こぼれた飲食物は、前身頃部の前面を滑り落ちてポケット部に入る。合成樹脂シート製の食事用エプロンは、食事後、廃棄する。
【先行技術文献】
【特許文献】
【０００４】
【特許文献１】特開２０１１−１４０７２８号公報
【特許文献２】登録実用新案第３１７４７４１号公報
【考案の概要】
【考案が解決しようとする課題】
【０００５】
［課  題］
上記のような食事用エプロンでは、こぼれた飲食物は、前身頃部の前側を落下する際、前身頃部の左端又は右端から外側に出てしまい、前身頃部下側のポケット部に入らないことがある。前身頃部の左方又は右方へ飛び出した飲食物は、衣服、食卓や床を汚すことになる。こぼれた飲食物が前身頃部の左端又は右端から外側に出ないことが望まれる。
【０００６】
［着  想］
前身頃部は、着用者の胸の前面に重ねると、左側部と右側部がそれぞれ着用者の左後側と右後側に湾曲して、横断面形状が凸状、前側に突出した弧状になり易い。そのような形態になると、飲食物が前身頃部の左方又は右方に飛び出すのを防ぐことができない。逆に、前身頃部は、着用時、横断面形状が凹状になって、左右の両側に側壁がある溝形状になると、その側壁で飲食物の左方又は右方への飛び出しを防ぐことができる。
そこで、食事用エプロンは、着用時、前身頃部の左端と右端に側壁が形成される構造を考案した。
【課題を解決するための手段】
【０００７】
１．着用者の首に留める首掛部、着用者の胸の前側に垂らす前身頃部、こぼれた飲食物が入るポケット部と、食卓上に留める卓上部を設けている食事用エプロンにおいて、
背の高い後側シートと背の低い前側シートを重ねて下端、左端と右端を連結した構造にし、
後側シートは、上部を首掛部に、中央部を前身頃部に、下部をポケット部の後片にし、
前側シートは、下部をポケット部の前片に、上部を卓上部にし、
後側シートの下部の左側部と前側シートの下部の左側部をポケット部の左片に、後側シートの下部の右側部と前側シートの下部の右側部をポケット部の右片にし、
ポケット部は、左片、右片、後片と前片で、上側が開口する袋形状にし、卓上部が前側に持ち出されて前身頃部側から離れると、前片が後片側から前側に離れ、左片と右片が二つ折り状態から広がって開口する構成にし、
後側シートの中央部の左側部と前側シートの上部の左側部を左側の側壁部に、後側シートの中央部の右側部と前側シートの上部の右側部を右側の側壁部にし、
ポケット部が開口して左片と右片が広がると、左側の側壁部と右側の側壁部は、二つ折り状態から広がり、前側に曲がって突出し、左右の側壁部と前身頃部の横断面形状が溝形状になる構成にしていることを特徴とする。
２．上記１の食事用エプロンにおいて、
首掛部は、２本の紐部又は１本の半円弧状や門形状の紐部にし、紐部の下端を左側と右側に配置し、
左側の紐部下端と卓上部の左端を結ぶ線の左側を左側の側壁部に、右側の紐部下端と卓上部の右端を結ぶ線の右側を右側の側壁部にしていることを特徴とする。
３．上記２の食事用エプロンにおいて、
左右の紐部下端は、それぞれ、左右方向位置を卓上部の左端と右端のほぼ真上にしていることを特徴とする。
４．上記１、２又は３の食事用エプロンにおいて、
卓上部は、左端と右端を、それぞれ、左側の側壁部と右側の側壁部から分離し、前側に持ち出すと、下端を軸として前側に折れ曲がって前側に突出する構成にしていることを特徴とする。
５．上記１〜４のいずれかの食事用エプロンにおいて、
背の高い後側シートと背の低い前側シートは、扁平な筒形状のシートの後側シートと前側シートにし、下端を連結して連結部で筒形状の下端を閉鎖していることを特徴とする。
６．上記１〜５のいずれかの食事用エプロンにおいて、
後側シートと前側シートは、不透水性にし、合成樹脂、不織布又は紙にしていることを特徴とする。
７．上記１〜６のいずれかの食事用エプロンにおいて、
後側シートと前側シートは、透明にしていることを特徴とする。
【考案の効果】
【０００８】
こぼれた飲食物が前身頃部の左端又は右端から外側に飛び出し難い。
【図面の簡単な説明】
【０００９】
【図１】本考案の実施形態における食事用エプロンの正面図。
【図２】図１のＡ−Ａ線断面図。
【図３】同食事用エプロンの展開状態の側面図。
【図４】図３のＢ−Ｂ線断面図。
【図５】同食事用エプロンの製作時の第１工程の正面下側からの斜視図。
【図６】同食事用エプロンの製作時の第２工程の正面下側からの斜視図。
【図７】同食事用エプロンの使用状態の斜視図。
【考案を実施するための形態】
【００１０】
実施形態の食事用エプロンは、図１と図２に扁平状態を、図３と図４に展開状態を示す。図５と図６に製作時の第１工程と第２工程を示す。
【００１１】
食事用エプロンは、筒形状の合成樹脂シートｓを材料にする。材料の筒形状のシートｓは、図５に示すように、中心線ｃを上下方向に配置し、左端と右端をそれぞれ折り曲げて扁平な二重状態にする。二重状態のシートｓは、前側片ｆと後側片ｒの上側部分を図５に示す形状に切断する。次に、扁平な筒形状のシートｓは、折り曲げ位置を９０度分変更して畳み直す。即ち、前側片ｆの左右方向中央位置は左端又は右端の折り曲げ位置に、後側片ｒの左右方向中央位置は反対側の折り曲げ位置にする。図６に示すように、背の高い後側シート１と背の低い前側シート２が重なった扁平な筒形状にする。最後に、後側シート１と前側シート２は、下端を溶着して連結し、連結部３で筒形状の下端を閉鎖する。上側が開口する袋形状にする。食事用エプロンは、筒形状シートｓの切断工程、畳直工程と連結工程を経て製作される。安価になる。
【００１２】
食事用エプロンは、図１と図２に示すように、背の高い後側シート１と背の低い前側シート２を重ね、後側シート１と前側シート２の下端、左端と右端を連結した構造にしている。後側シート１は、上部を首掛部１１に、中央部を前身頃部１２に、下部をポケット部の後片１３にしている。前側シート２は、下部をポケット部の前片１４に、上部を卓上部１５にしている。
【００１３】
また、図１〜図４に示すように、前側シート２の下部の左側部と後側シート１の下部の左側部をポケット部の左片１６に、前側シート２の下部の右側部と後側シート１の下部の右側部をポケット部の右片１７にしている。ポケット部の左片１６と右片１７は、それぞれ、後側シート１と前側シート２で構成している。
【００１４】
ポケット部は、左片１６、右片１７、後片１３と前片１４で、上側が開口する袋形状にしている。食事用エプロンの扁平状態時、ポケット部の閉鎖時には、図１と図２に示すように、後片１３と前片１４が重なり、左片１６と右片１７がそれぞれ二つ折り状態になっている。食事用エプロンの展開時、卓上部１５が前側に持ち出されて前身頃部１２側から離れると、前片１４の上端が前側に引かれる。すると、図３と図４に示すように、前片１４は、下端を軸として前側に倒れて後片１３側から離れ、左片１６と右片１７の前端をそれぞれ前側に引く。左片１６と右片１７は、それぞれ、二つ折り状態から開いて逆三角形状に広がる。ポケット部１３、１４、１６、１７が開口する。
【００１５】
更に、図１〜図４に示すように、前側シート２の上部の左側部と後側シート１の中央部の左側部を左側の側壁部１８に、前側シート２の上部の右側部と後側シート１の中央部の右側部を右側の側壁部１９にしている。左側の側壁部１８と右側の側壁部１９は、それぞれ、上部を後側シート１のみで、下部を後側シート１と前側シート２で構成している。食事用エプロンの扁平状態時、図１と図２に示すように、左側の側壁部１８と右側の側壁部１９は、それぞれ、前身頃部１２と平行し、下部が二つ折り状態になっている。食事用エプロンの展開時、ポケット部が開口して左片１６と右片１７が広がると、左側の側壁部１８と右側の側壁部１９の下端が、それぞれ、前側に引かれる。すると、図３と図４に示すように、左側の側壁部１８と右側の側壁部１９は、それぞれ、下部が二つ折り状態から開いて平面形状に広がり、下部と上部の全部が前側に曲がって前側に突出する。左右の側壁部１８、１９と前身頃部１２は、横断面形状が溝形状になる。
【００１６】
前側シート２は、図１、図６に示すように、卓上部１５の左端と左側の側壁部１８の間、卓上部１５の右端と右側の側壁部１９の間に、それぞれ、谷形状の切取り部ｖを設けている。卓上部１５の左端と右端は、それぞれ、左側の側壁部１８と右側の側壁部１９から分離している。食事用エプロンの扁平状態時、図１と図２に示すように、卓上部１５は、前身頃部１２に重なっている。食事用エプロンの展開時、図３と図４に示すように、卓上部１５は、前側に持ち出す。下端を軸として前側に折れ曲がって前側に突出する。
【００１７】
首掛部１１は、紐部を上方に直線状に突出して形成し、２本の紐部を左側と右側に配置している。図１に示すように、左右の紐部の下端は、それぞれ、左右方向位置を卓上部１５の左端と右端のほぼ真上にしている。左側の紐部の下端と卓上部１５の左端を結ぶ線の左側を左側の側壁部１８に、右側の紐部の下端と卓上部１５の右端を結ぶ線の右側を右側の側壁部１９にしている。前身頃部１２は、左側と右側に、それぞれ、側壁部１８、１９が位置している。左側の側壁部１８と右側の側壁部１９は、それぞれ、下端がポケット部の左片１６と右片１７に連結している。ポケット部の前片１４は、上端が卓上部１５に連結している。
【００１８】
食事用エプロンは、着用時、図７に示すように、食卓ｔの前に座った着用者ｐの前側に垂らし、首掛部１１を着用者ｐの首に掛けて留める。首掛部１１は、左右の紐部を着用者ｐの首に巻いて結ぶ。前身頃部１２は、着用者の胸ｐの前側に垂らす。ポケット部１３、１４、１６、１７は、着用者ｐと食卓ｔの間の隙間に配置する。卓上部１５は、食卓ｔ側、前側に持ち出して折り曲げ、食卓ｔの上に敷いて留める。食卓ｔ上の卓上部１５の上に食事盆ｍを載せる。
【００１９】
卓上部１５が前側に持ち出されると、ポケット部の前片１４は、上端が前側に引かれ、前側に倒れて傾斜する。前片１４が後片１３側から離れる。すると、左片１６と右片１７は、それぞれ、前端が前側に引かれ、二つ折り状態から開いて広がる。即ち、ポケット部１３、１４、１６、１７は、上側が開口する。左片１６と右片１７が前側に広がると、左側の側壁部１８と右側の側壁部１９は、それぞれ、下端が前側に引かれ、下部が二つ折り状態から開いて広がり、全部が前側に曲がって突出する。即ち、左右の側壁部１８、１９と前身頃部１２は、横断面形状が溝形状になる。
【００２０】
着用者ｐが飲食する際、こぼれた飲食物は、前身頃部１２の前側を落下してポケット部１３、１４、１６、１７に入る。前身頃部１２は、左右に側壁部１８、１９があり、飲食物が左端又は右端から外側に飛び出し難い。
【００２１】
食事用エプロンは、食事後、着用者ｐから取り外し、廃棄する。
なお、食事用エプロンは、透明にしている。着用時に目立たない。
材料のシートｓは、不透水性の透明な合成樹脂シートにしている。実施例では、ポリエチレンのシートにし、厚さを２０μｍ位にしている。
【００２２】
［変形例］
本考案は、上記の実施形態に限定されない。次のような変形が例示される。
１．上記の実施形態において、食事用エプロンは、透明にしているが、不透明にする。
２．上記の実施形態において、材料のシートｓは、不透水性の合成樹脂にしているが、不透水性の不織布にする。又は、不透水性の紙やその他のシートにする。
３．上記の実施形態において、首掛部１１は、２本の直線状の紐部にしているが、１本の半円弧状や門形状の紐部にする。半円弧状や門形状の紐部は、両下端を左側と右側に配置する。
【００２３】
４．上記の実施形態において、食事用エプロンの材料は、１本の筒形状のシートｓにしているが、１枚又は２枚の平面形状のシートにする。
１枚の平面形状のシートは、左端側と右端側をそれぞれ後側シート１と前側シート２の形状に切断し、後側シート１と前側シート２が左右に並列して左右の片端を連結した形状にする。そして、左右方向を二つ折りにして、後側シート１と前側シート２を重ねる。その後側シート１と前側シート２は、左右の他の片端と下端を連結して、上側が開口した袋形状にする。
又は、１枚の平面形状のシートは、上端側と下端側をそれぞれ後側シート１と前側シート２の形状に切断し、後側シート１と前側シート２が上下逆向きになって下端同士を連結した形状にする。そして、上下方向を二つ折りにして、後側シート１と前側シート２を重ねる。その後側シート１と前側シート２は、左端と右端を連結して、上側が開口した袋形状にする。
２枚のシートは、それぞれ、後側シート１と前側シート２の形状に切断して後側シート１と前側シート２にする。分離状態の後側シート１と前側シート２は、重ね、下端、左端と右端を連結して、上側が開口した袋形状にする。
【符号の説明】
【００２４】
ｓ  筒形状の合成樹脂シート、二重状態のシート、材料のシート
ｃ  筒形状シートの中心線
ｆ  二重状態シートの前側片
ｒ  二重状態シートの後側片
ｖ  谷形状の切取り部
１  後側シート、背の高い後側シート
２  前側シート、背の低い前側シート
３  連結部
１１  食事用エプロンの首掛部
１２  食事用エプロンの前身頃部
１３、１４、１６、１７  食事用エプロンのポケット部
１３  ポケット部の後片
１４  ポケット部の前片
１５  食事用エプロンの卓上部
１６  ポケット部の左片
１７  ポケット部の右片
１８  食事用エプロンの左側の側壁部
１９  食事用エプロンの右側の側壁部
ｐ  着用者
ｔ  食卓
ｍ  食事盆
【図１】
0003188657.tif 000003
【図２】
0003188657.tif 000004
【図３】
0003188657.tif 000005
【図４】
0003188657.tif 000006
【図５】
0003188657.tif 000007
【図６】
0003188657.tif 000008
【図７】
0003188657.tif 000009